(57)【要約】【課題】  この発明はベッド本体を構成する箱状体に収容された収納ケースを円滑に引き出すことができるようにしたベッド装置を提供することにある。【解決手段】  幅方向の一側面が開口し内部を収容部９とした箱状体２を有しこの箱状体の上面にマットレスが載置されるベッド本体と、収容部の上記幅方向と交差する一対の内面にそれぞれ設けられたガイドローラ１１と、幅方向両側に上記ガイドローラに係合するガイド溝２３が形成され、箱状体に出し入れ可能に設けられているとともに、箱状体に収納したときにこの箱状体の一側面の開口を閉塞する搬送体１５と、搬送体に載置されこの搬送体とともに上記箱状体から引き出される収納ケース２６ａ，２６ｂとを具備する。【選択図】      図２
2005318981.tif 000002
【特許請求の範囲】
【請求項１】
幅方向の一側面が開口し内部を収容部とした箱状体を有しこの箱状体の上面にマットレスが載置されるベッド本体と、
上記収容部の上記幅方向と交差する一対の内面にそれぞれ設けられたガイド部材と、
幅方向両側に上記ガイド部材に係合するガイド溝が形成され、上記箱状体に出し入れ可能に設けられているとともに、箱状体に収納したときにこの箱状体の一側面の開口を閉塞する搬送体と、
上記搬送体に載置されこの搬送体とともに上記箱状体から引き出される収納ケースと
を具備したことを特徴とするベッド装置。
【請求項２】
上記搬送体には、上記箱状体の幅方向に沿って複数の収納ケースが載置されることを特徴とする請求項１記載のベッド装置。
【請求項３】
上記ガイド部材は、上記収容部の一方の内面と他方の内面との上記幅方向に対して位置をずらして設けられ、上記搬送体の幅方向両側のガイド溝には、上記一方の内面と他方の内面とに設けられた上記ガイド部材を上記ガイド溝に挿入する導入部が上記一方の内面と他方の内面とに設けられたガイド部材と対応する位置関係で形成されていることを特徴とする請求項１記載のベッド装置。
【発明の詳細な説明】
【技術分野】
【０００１】
この発明はベッド本体を構成する箱状体の内部を、収納ケースを出し入れ可能に設ける収容部として利用するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、たとえば特許文献１に示すように、上記ベッド本体（基体）に空間部を形成する。この空間部はベッド本体の幅方向一側面及び下面に開口しており、この側面開口から内部に収納ケース（箱体）を出し入れできるようにしている。したがって、上記収納ケースに衣類などの物品を入れることで、ベッド本体が占有する室内空間の有効利用を図ることができる。
【特許文献１】実開昭５７−７３６０号公報
【発明の開示】
【発明が解決しようとする課題】
【０００４】
上記特許文献１に示されたベッド装置は、ベッド本体に形成された空間部に設けられる収納ケースの下面にキャスタを設け、このキャスタによって床面を走行させることで、上記収納ケースを上記ベッド本体の空間部に対して出し入れできるようにしている。
【０００５】
しかしながら、キャスタによって収納ケースをベッド本体に形成された空間部に対して出し入れする構成によると、キャスタが床面を走行することになるから、このキャスタによって床面が傷付けられるということがあったり、床面に絨毯やカーペットが敷かれている場合には、キャスタが絨毯やカーペットに沈んで走行抵抗が大きくなるため、上記空間部に対して収納ケースを円滑に出し入れすることができないということもある。
【０００６】
さらに、ベッド本体の下面に設けたキャスタを床面に走行させる構成によると、ベッド本体に形成される空間部は、このベッド本体の下面を通じて外部に連通してしまうから、その下面から空間部に塵埃が入り込み、空間部内の収納ケースに収容された物品に塵埃が付着し、物品が汚れてしまうということがある。
【０００７】
また、特許文献１では、収納ケースをベッド本体の幅方向に対して２つに分割し、これら収納ケースを結合部材によって連結して空間部に収容するようにしている。それによって、ダブルサイズなどのようにベッド装置の幅寸法が大きい場合であって、ベッド本体の側方に、ベッド本体の幅寸法の約半分程度の引き出し用のスペースを確保することで、上記ベッド本体の空間部から２つの収納ケースを順次引き出すことを可能にしている。つまり、ベッド本体の空間部を幅方向全長にわたって有効に利用することができるようにしている。
【０００８】
２つの収納ケースを連結すると、各収納ケースを空間部に出し入れするときに、これら収納ケースに設けられたキャスタの走行方向が一致し難い。そのため、収納ケースが１つの場合に比べ、上記空間部に対する収納ケースの出し入れがさらにし難くなるということがある。
【０００９】
この発明は、収納ケースが収容される収容部を塵埃が入り難い密閉構造にできるとともに、収納ケースの出し入れを円滑に行なうことができるようにしたベッド装置を提供することにある。
【課題を解決するための手段】
【００１０】
この発明は、幅方向の一側面が開口し内部を収容部とした箱状体を有しこの箱状体の上面にマットレスが載置されるベッド本体と、
上記収容部の上記幅方向と交差する一対の内面にそれぞれ設けられたガイド部材と、
幅方向両側に上記ガイド部材に係合するガイド溝が形成され、上記箱状体に出し入れ可能に設けられているとともに、箱状体に収納したときにこの箱状体の一側面の開口を閉塞する搬送体と、
上記搬送体に載置されこの搬送体とともに上記箱状体から引き出される収納ケースと
を具備したことを特徴とするベッド装置にある。
【００１１】
上記搬送体には、上記箱状体の幅方向に沿って複数の収納ケースが載置されることが好ましい。
【００１２】
上記ガイド部材は、上記収容部の一方の内面と他方の内面との上記幅方向に対して位置をずらして設けられ、上記搬送体の幅方向両側のガイド溝には、上記一方の内面と他方の内面とに設けられた上記ガイド部材を上記ガイド溝に挿入する導入部が上記一方の内面と他方の内面とに設けられたガイド部材と対応する位置関係で形成されていることが好ましい。
【発明の効果】
【００１３】
この発明によれば、収納ケースを箱状体の収容部に収容したときには、この箱状体を密閉することができるから、収納ケースに収容された物品に塵埃が付着するのを防止でき、しかも箱状体に移動可能に設けられた搬送体に収納ケースを載置するため、収納ケースの出し入れを円滑に行なうことが可能となる。
【発明を実施するための最良の形態】
【００１４】
以下、この発明の実施の形態を図面を参照して説明する。  
図１乃至図５はこの発明の第１の実施の形態を示す。図１はこの発明のベッド装置の正面図であって、このベッド装置はベッド本体１を備えている。このベッド本体１は互いの一端面を接触させて連結固定された２つの箱状体２を有する。一方の箱状体２の他端面にはヘッドボード３が立設され、他方の箱状体２の他端面にはフットボード４が設けられている。一対の箱状体２の上面にはマットレスＭが載置される。
【００１５】
各箱状体２は、図２と図３（ａ）、（ｂ）に示すように一側面が開口し、他側面は側板５によって閉塞されているとともに、底面は底板６、上面は床板７によって閉塞され、さらに２つの箱状体２の上記側板５と直交する方向の両端はそれぞれ端板８によって閉塞されている。
【００１６】
それによって、上記箱状体２の内部空間は、このベッド本体１の幅方向一側面に開口した収容部９に形成されている。なお、底板６及び各ボード３，４の下面には図１と図３（ｂ）に示すようにベッド本体１の幅方向に沿って細長い脚部材６ａが設けられている。
【００１７】
収容部９の両側内面には、それぞれベッド本体１の幅方向である、箱状体２の奥行き方向に沿ってガイド部材としてのガイドローラ１１が設けられている。収容部９の両側内面にはそれぞれ２つのガイドローラ１１が設けられているとともに、一側面に設けられた一対のガイドローラ１１と他側面に設けられた一対のガイドローラ１１とは図４（ｃ）に示すように箱状体２の奥行き方向においてＥ１，Ｅ２で示すように位置をずらして設けられている。なお、Ｅ１とＥ２は同じであってもよく、異なっていてもよい。
【００１８】
上記箱状体２の両側内面に設けられたガイドローラ１１には搬送体１５が後述するように移動可能に支持されている。この搬送体１５は、図２と図３に示すように上記収容部９の奥行き方向と交差する幅方向の寸法とほぼ同じ間隔で離間した帯板状の一対の側部材１６を有し、この側部材１６は前端が前板１７で連結され、後端が後板１８で連結されて枠状に形成されている。上記側板１６の内面の下端には全長にわたって受け板１９が設けられ、一対の受け板１９の長手方向中途部には帯板状のストッパ部材２１が架設されている。
【００１９】
一対の側部材１６の外面には、両端が閉塞されたガイド溝２３が長手方向ほぼ全長にわたって形成されている。また、側部材１６には一端をガイド溝２３に連通し、他端を側部材１６の下端面に開口した導入部２４が形成されている。上記ガイド溝２３には、上記導入部２４から上記ガイドローラ１１を挿入することができるようになっている。
【００２０】
すなわち、図４（ａ），（ｂ）に示すように各側部材１６には、収容部９の両側内面にそれぞれ設けられた一対のガイドローラ１１と対応する間隔で、しかも収容部９の両側内面の一側と他側に設けられたガイドローラ１１の奥行き方向に対する位置ずれ量と対応したずれ量でそれぞれ一対の導入部２４が形成されている。つまり、４つのガイドローラ１１と、各側部材１６のガイド溝２３に連通して形成された４つの導入部２４との位置が対応している。
【００２１】
そして、上記搬送体１５は、各側部材１６のガイド溝２３に、箱状体２の一対の内面に設けられた各一対のガイドローラ１１を上記導入部２４から挿入して係合させることで、このガイドローラ１１によって上記箱状体２に出し入れ可能に設けられている。
【００２２】
図３（ａ），（ｂ）に示すように、上記箱状体２の底板６の前端部、つまり収容部９の開口端側の端部上面に一対の係止ピン２７が突設されている。上記搬送体１５を収容部９から所定寸法引き出したとき、上記係止ピン２７に上記ストッパ部材２１が当接し、搬送体１５がそれ以上引き出されるのを阻止するようになっている。
【００２３】
上記搬送体１５の前板１７には、搬送体１５を箱状体２内に収容したときに、この箱状体２の一側面の開口を閉塞する飾り板２５が設けられている。また、搬送体１５には、上面が開口した箱形状の第１、第２の収納ケース２６ａ，２６ｂが並設載置されている。そして、これら収納ケース２６ａ，２６ｂ内が小物類の収容場所として利用される。なお、上記飾り板２５の下端には搬送体１５を引き出すときに手を掛ける凹部（図示せず）が形成されている。
【００２４】
図５（ａ）〜（ｃ）は箱状体２に搬送体１５を設ける手順を順次示している。まず、図５（ａ）に示すように搬送体１５の後端側を上昇させた状態で収容部９内に挿入し、搬送体１５の左右一対の側部材１６の前端部側に設けられた導入部２４を、前端部側の一対のガイドローラ１１に位置合わせし、そのガイドローラ１１を上記導入部２４からガイド溝２３に挿入させる。その状態で、後端部側の一対のガイドローラ１１と後端部側の一対の導入部２４との位置が一致しているから、図５（ｂ）に示すように搬送体１５を水平に倒伏させることで、後端側の一対のガイドローラ１１もガイド溝２３に係合させることができる。
【００２５】
ついで、搬送体１５をストッパ部材２１が係止ピン２７に当たるまで引き出し、この搬送体１５の箱状体２から引き出された前端部側に第２の収納ケース２６ｂを載置して後方へスライドさせた後、前端部側に第１の収納ケース２６ａを第２の収納ケース２６ｂと並設載置したならば、搬送体１５を収容部９内へスライドさせれば、図５（ｃ）に示すように搬送体１５とともに、第１、第２の収納ケース２６ａ，２６ｂが箱状体２内の収容部９に収容することができる。
【００２６】
このような構成のベッド装置によれば、箱状体２の収容部９の幅方向両側内面にそれぞれ一対のガイドローラ１１を設け、このガイドローラ１１に、搬送体１５の一対の側部材１６に形成されたガイド溝２３を係合させている。搬送体１５には、衣類などの小物類を収容することができる、第１の収納ケース２６ａと第２の収納ケース２６ｂとが搬送体１５の移動方向に直列に載置される。
【００２７】
箱状体２は一側面だけが開口しており、この開口は搬送体１５を収容部９に収容したとき、この搬送体１５の前板１７に設けられた飾り板２５によって閉塞される。つまり、箱状体２の開口した一側面を飾り板２５で閉塞することで、収容部９は密閉されることになる。  
そのため、箱状体２の収容部９内に塵埃が入り込み難いから、この収容部９内に設けられた収納ケース２６ａ，２６ｂ内の小物類などに塵埃が付着して汚れるのを防止することができる。
【００２８】
上記箱状体２に底板６を設け、搬送体１５を箱状体２に収納したときに、この箱状体２の収容部９が密閉される構造としたため、上記底板６によって箱状体２の前端面に、この底板６の厚さに応じた段差が形成される。しかしながら、底板６によって箱状体２の前端面に段差が形成されても、搬送体１５はガイドローラ１１によって移動可能に設けられている。そのため、搬送体１５の出し入れ、つまり収納ケース２６ａ，２６ｂの出し入れを上記段差によって影響されることなく、円滑に行なうことができる。
【００２９】
すなわち、キャスタを床面に走行させて収納ケース２６ａ，２６ｂを収容部９に対して出し入れする従来の構造に比べ、収納ケース２６ａ，２６ｂの出し入れを軽い力で容易に行なうことができる。しかも、キャスタによって床面を傷付けるということもないばかりか、搬送体１５を収納したときには箱状体２を確実に密閉することができる。
【００３０】
搬送体１５に２つの収納ケース２６ａ，２６ｂを直列に載置したことで、この搬送体１５を箱状体２から引き出すと、この搬送体１５に２つの収納ケース２６ａ，２６ｂを連動させることができる。
【００３１】
すなわち、箱状体２に２つの収納ケース２６ａ，２６ｂが収納された状態から、搬送体１５をストッパ部材２１が係止ピン２７に当たる位置まで引き出す。それによって、第１の収納ケース２６ａの全体と第２の収納ケース２６ｂの前端部が箱状体２から露出する。したがって、その状態で搬送体１５から第１の収納ケース２６ａを除去し、ついで第２の収納ケース２６ｂの露出した先端部に手を掛けて前方へ引けば、この第２の収納ケース２６ｂを利用することができる。
【００３２】
つまり、第２の収納ケース２６ｂが箱状体２から露出するまで搬送体１５を引き出さなくても、第２の収納ケース２６ｂを搬送体１５上でスライドさせて箱状体２から露出させることができる。それによって、第２の収納ケース２６ｂ全体が箱状体２から露出するまで搬送体１５を引き出さなくとも、第２の収容ケース２６ｂを利用できるから、便利である。
【００３３】
しかも、ベッド本体１の側方に搬送体１５全体を引き出すためのスペースを確保しなくでも、第２の収納ケース２６ｂを利用できるため、ベッド本体１の設置場所に大きな制限を受けることもない。
【００３４】
箱状体２の収容部９の両側内面に設けられる、それぞれ一対のガイドローラ１１は、収容部９の奥行き方向に対して位置をずらして設けられている。つまり、４つのガイドローラ１１は搬送体１５を移動方向に対して異なる位置で支持している。言い換えれば、搬送体１５は、収容部９の奥行き方向の前端側と後端側とのそれぞれ左右一対のガイドローラ１１による支点が異なる位置となっている。
【００３５】
そのため、搬送体１５が収容部９から引き出されて箱状体２６ａ，２６ｂが載置されていない状態において、搬送体１５の前端側に手を掛けるなどしてこの搬送体１５を下方へ押圧しても、左右一対のガイドローラ１１の支点が異なるために、搬送体１５が左右一対のガイドローラ１１を支点として後端側が持ち上がる方向に回転するのを防止することができる。
【００３６】
図６はこの発明の第２の実施の形態を示す。この実施の形態は搬送体１５の側部材１６に形成されるガイド溝２３Ａの変形例で、このガイド溝２３Ａは両端が側部材１６の長手方向前端と後端とに開放していると共に、前端部は上方に向かってわずかに高く傾斜した傾斜部３１となっている。
【００３７】
したがって、側部材１６にこのような形状のガイド溝２３Ａを形成すれば、このガイド溝２３Ａにガイドローラ１１を係合させる際、搬送体１５を収容部９に水平に挿入しながらガイド溝２３Ａにガイドローラ１１を係合させることができる。しかも、搬送体１５を収容部９に収納したとき、前端側のガイドローラ１１がガイド溝２３Ａの傾斜部３１に位置することで係合抵抗が生じるから、搬送体１５が収容部９からずれ出てくるのを防止できる。  
この第２の実施の形態において、左右一対のガイドローラ１１は、位置をずらしても、ずらさなくてもどちらでもよい。
【００３８】
なお、上記実施の形態では搬送体１５をガイドするガイド部材としてガイドローラを用いたが、ガイドローラに代わって滑沢性を有する樹脂等で形成された軸状部材を用いるようにしてもよい。また、搬送体１５の前板１７に収容部９の開口を閉塞することができる飾り板２５を設けるようにしたが、前板１７を設けず、側部材１６に直接、飾り板２５を設けるようにしてもよい。
【図面の簡単な説明】
【００３９】
【図１】この発明の第１の実施の形態を示すベッド装置の正面図。
【図２】箱状体及び搬送体と一対の収納ケースを示す斜視図。
【図３】（ａ）は箱状体を断面して内部に収容された搬送体を示す図、（ｂ）は箱状体の縦断面図。
【図４】（ａ）は搬送体の一方の側部材の側面図、（ｂ）は他方の側部材の側面図、（ｃ）は箱状体に設けられたガイドローラ示す箱状体の横断面図。
【図５】（ａ）〜（ｃ）は箱状体の収容部に搬送体及び収納ケースを収容する手順を示した説明図。
【図６】この発明の他の実施の形態を示す搬送体の側部材の側面図。
【符号の説明】
【００４０】
１…ベッド本体、２…箱状体、９…収容部、１１…ガイドローラ（ガイド部材）、１５…搬送体、２３…ガイド溝、２５…飾り板、２６ａ，２６ｂ…収納ケース。
【図１】
2005318981.tif 000003
【図２】
2005318981.tif 000004
【図３】
2005318981.tif 000005
【図４】
2005318981.tif 000006
【図５】
2005318981.tif 000007
【図６】
2005318981.tif 000008